(57)【特許請求の範囲】
【請求項１】
第１の波長の光パルス信号を送信する光送信器と、第１の波長の光パルス信号を受信する光受信器と、前記光送信器と前記光受信器との間に設けた光ファイバ伝送路とからなる長距離光センシングシステムであって、
前記光送信器よりの前記第１の波長の光パルス信号を、前記光ファイバ伝送路を伝送した際の伝送損失が前記第１の波長よりも少ない第２の波長の光パルス信号に変換して前記光ファイバ伝送路に出力する第１の波長変換手段と、
前記光ファイバ伝送路よりの前記第２の波長の光パルス信号を前記第１の波長の光パルス信号に変換して前記光受信器に出力する第２の波長変換手段と、
前記光ファイバ伝送路の先端部に配置され所定の物理量の検知・測定を行う検知手段とを備え、
前記光ファイバ伝送路途中に光パルス信号を増幅する手段を用いずに前記第１の波長変換手段の波長変換により光パルス信号の伝送距離を拡大し、前記検知手段による前記物理量の検知・測定結果を、該光パルス信号の伝送距離が拡大された光ファイバ伝送路を介して前記光受信器で受信することを特徴とする長距離光センシングシステム。
【請求項２】
第１の波長の光パルス信号を送信する光送信器と、第１の波長の光パルス信号を受信する光受信器と、前記光送信器と前記光受信器との間に設けた光ファイバ伝送路とからなる長距離光センシングシステムであって、
前記光送信器よりの前記第１の波長の光パルス信号を、前記光ファイバ伝送路を伝送した際の伝送損失が前記第１の波長よりも少ない第２の波長の光パルス信号に変換して前記光ファイバ伝送路に出力する第１の波長変換手段と、
前記光ファイバ伝送路よりの前記第２の波長の光パルス信号を前記第１の波長の光パルス信号に変換して前記光受信器に出力する第２の波長変換手段と、
前記光ファイバ伝送路そのものを用いて、該光ファイバ伝送路で発生した少なくとも散乱光強度の変化又は波長の変化又は周波数スペクトルをもとに所定の物理量の検知・測定を行う検知手段とを備え、
前記光ファイバ伝送路途中に光パルス信号を増幅する手段を用いずに前記第１の波長変換手段の波長変換により光パルス信号の伝送距離を拡大し、前記検知手段による前記物理量の検知・測定結果を、該光パルス信号の伝送距離が拡大された光ファイバ伝送路を介して前記光受信器で受信することを特徴とする長距離光センシングシステム。
【発明の詳細な説明】
【技術分野】
【０００１】
本発明は光伝送システムおよび光伝送方法に関し、特に光ファイバを使用して光パルス信号の長距離伝送を行う光伝送システムおよび光伝送方法に関する。
【背景技術】
【０００２】
光ファイバは大容量の通信が可能で、対ノイズ特性に優れている等の理由から、光ファイバを使用した光通信があらゆる通信分野において急速に普及しつつある。光通信における既存の設備では、通信ケーブルとして波長１．３μｍ帯の光パルス信号用の１．３μｍ帯に零分散波長のあるシングルモード光ファイバ（ＳＭＦ）が多く用いられている。このような光ファイバを使用した光ファイバ伝送システムとして、例えば、１．３μｍ帯用光ファイバ伝送路の一端（送信端）に波長１．３μｍ帯の光パルス信号を発信する光源を含んでなる１．３μｍ帯用の光送信器を配し、伝送路の他端（受信端）に１．３μｍ帯用の光受信器を配した構成をとる伝送システムが構築できる。
【０００３】
上述した伝送システムにおいて、さらに長距離の伝送を行うには、１．３μｍ帯よりも伝送損失の小さい１．５５μｍ帯の波長を使用することで、信号の長距離伝送が可能となる。この場合の最も簡単な光ファイバ伝送システムとして、例えば、送信側に波長１．５５μｍ帯の光パルス信号を発信する光源を含む１．５５μｍ帯用の光送信器を配し、光信号を１．５５μｍ帯用の光ファイバ伝送路で伝送して、受信側に設けた１．５５μｍ帯用の光受信器でその光信号を受信する光ファイバ伝送システムが構築できる。１．５５μｍ帯用の光ファイバ伝送路としては、例えば、１．５５μｍ帯に零分散波長のある分散シフト光ファイバ（ＤＳＦ）を使用できる。
【０００４】
一方、現在一般に広く敷設されている通信ケーブルは、波長１．３μｍ帯用のシングルモード光ファイバ（ＳＭＦ）であるため、１．５５μｍ帯の波長を使用できるように最適化するには、１．５５μｍ帯用の光ファイバを新たに敷設する必要がある。したがって、そのためのシステム構築には多大な時間と費用がかかることになる。
【０００５】
このような問題に鑑みてなされた光伝送システムとして、例えば、特許文献１に記載のものがある。この特許文献１には、図５に示すように既存の１．３μｍ帯用の光ファイバ伝送路を用いて１．５５μｍ帯の伝送を行う光伝送システムの構成が開示されている。具体的には、波長１．５５μｍ帯の光パルス信号を発信する光源１１１を含む１．５５μｍ帯用の光送信器１０１と、１．３μｍ帯用の光ファイバ伝送路１０３と、１．５５μｍ帯用の光受信器１０４とで構成されている。この構成により、波長分散の影響による信号劣化の影響を受けるものの、１．３μｍ帯用の光送受信器を用いた光ファイバ伝送システムに比べて、長距離伝送が可能となる。また、これらの構成に対して各種の波長分散を補償する手段を講じることによって、さらに長距離伝送が可能となる。
【０００６】
【特許文献１】特開平７−３３６３００号公報
【発明の開示】
【発明が解決しようとする課題】
【０００７】
しかしながら、上述した従来の光伝送システムでは、波長１．３μｍ帯よりも伝送損失の低い波長１．５５μｍ帯の光送信器と光受信器を使用しているため長距離伝送が可能となっても、１．５５μｍ帯用の光送信器や光受信器は、既存の１．３μｍ帯用の光送受信器と比較して価格が高いという欠点がある。したがって、１．５５μｍ帯用の光送信器や光受信器で構成された光ファイバ伝送システムの構築には、多額の費用を要するという問題がある。
【０００８】
本発明の目的は、上述の課題に鑑みてなされたもので、従来の光ファイバ伝送システムを大幅に変更することなく、安価な構成で長距離伝送ができる光伝送システムおよび光伝送方法を提供することである。
【課題を解決するための手段】
【０００９】
本発明に係る光伝送システムは、上記目的を達成するために、請求項１に記載の発明は、光パルス信号を送信する光送信器と、光パルス信号を伝送する光ファイバ伝送路と、光パルス信号を受信する光受信器とからなる光伝送システムであって、前記光送信器と前記光ファイバ伝送路との間に配置された第１の波長変換手段と、前記光ファイバ伝送路と前記光受信器との間に配置された第２の波長変換手段とを備えることを特徴とする。
【００１０】
例えば、前記第１の波長変換手段は、前記光送信器から送信された第１の波長の光パルス信号を第２の波長の光パルス信号に波長変換し、前記第２の波長変換手段は、前記光ファイバ伝送路を伝送された前記第２の波長の光パルス信号を前記第１の波長の光パルス信号に波長変換することを特徴とする。
【００１１】
例えば、前記第１の波長は１．３μｍ帯であり、前記第２の波長は１．５５μｍ帯であることを特徴とする。また、例えば、前記光ファイバ伝送路に１．３μｍ帯シングルモード光ファイバを使用することを特徴とする。
【００１２】
例えば、前記光ファイバ伝送路に零分散波長が１．５５μｍの分散シフト光ファイバを使用することを特徴とする。また、例えば、前記光ファイバ伝送路に所定の物理量の検知・測定を行う検知手段を配したことを特徴とする。さらに、前記光ファイバ伝送路そのものを前記検知手段として機能させることを特徴とする。
【００１３】
本発明に係る光伝送方法は、上記目的を達成するために、例えば、請求項８に記載の発明は、光ファイバ伝送路の一端に光送信器が配され、他端に光受信器を配した光伝送システムにおける光伝送方法であって、前記光送信器から出力された第１の波長の光パルス信号を第２の波長の光パルス信号に波長変換してから前記光ファイバ伝送路に送出し、その光ファイバ伝送路を伝送された前記第２の波長の光パルス信号を前記第１の波長の光パルス信号に波長変換してから前記光受信器に入力することを特徴とする。
【発明の効果】
【００１４】
本発明に係る光伝送システムおよび光伝送方法によれば、例えば、１．３μｍ帯よりも伝送損失の小さい１．５５μｍ帯の波長を使用した光パルス信号を、所定の特性を有する光ファイバからなる伝送路を伝送することで、光パルス信号の長距離伝送が可能となる。
【００１５】
また、本発明によれば、光信号の送信端および受信端それぞれに既存の設備としての光送信器、光受信器を配することで、安価な光パルス信号の伝送システムおよび光伝送方法を提供できる。
【発明を実施するための最良の形態】
【００１６】
以下、本発明を実施するための最良の形態を図面に基づいて詳細に説明する。
＜第１の実施の形態例＞
図１は、本発明の第１の実施の形態例に係る光伝送システムの全体構成を示すブロック図である。図１に示す光伝送システムにおける光パルス信号の送信側は、１．３μｍ帯用光送信器１と、この光送信器１の後方に配置され、光送信器１から出力される１．３μｍ帯の光パルス信号を１．５５μｍ帯の光パルス信号に波長変換する１．３／１．５５μｍ帯波長変換器４とで構成されている。そして、１．３／１．５５μｍ帯波長変換器４で波長変換して得られた１．５５μｍ帯の光パルス信号は、例えば、シングルモード光ファイバ（ＳＭＦ）からなる１．３μｍ帯用光ファイバ伝送路１０を伝送され、受信側へ到達する。
【００１７】
本実施の形態例に係る光伝送システムの送信側に配された１．３μｍ帯用光送信器１は、１．３μｍ帯用光源２、光アンプ３、および信号発生器１５を備える。この信号発生器１５は、伝送しようとする所定周波数のパルス信号を発生し、１．３μｍ帯用光源２は、例えば、１．３μｍ帯のレーザ光を連続的に発振する１．３μｍ帯レーザダイオードからなるため、光源２からは、信号発生器１５からの信号で変調された１．３μｍ帯の光パルス信号が出力される。また、光アンプ３は、光源２の光パルス出力である１．３μｍ帯の光パルス信号を光増幅する。なお、ここでの信号変調方式は、上記のように光半導体光源であるレーザダイオードの光出力を電気信号で直接変調してもよいし、あるいは、光源からの出力を別途設けた変調器（外部変調器）に導き、そこで変調を行ってもよい。
【００１８】
図１に示す光伝送システムの光パルス信号の受信側には、１．３μｍ帯用光ファイバ伝送路１０を伝送されてきた１．５５μｍ帯の光パルス信号を１．３μｍ帯の光パルス信号に波長変換する１．５５／１．３μｍ帯波長変換器５が配され、その後方には、１．３μｍ帯用光受信器７が設けられている。この１．３μｍ帯用光受信器７は、光パルス信号を光増幅する光アンプ８と、例えばレーザダイオードからなる１．３μｍ帯用受光部９とで構成される。よって、１．５５／１．３μｍ帯波長変換器５で波長変換して得られた１．３μｍ帯の光パルス信号は、１．３μｍ帯用光受信器７内の光アンプ８で光増幅された後、１．３μｍ帯用受光部９に到達する。
【００１９】
送信側に配した光アンプ３や受信側に配された光アンプ８として、例えば、コアに希土類のエルビウムを添加したエルビウム添加光ファイバ増幅器（ＥＤＦＡ）、あるいは、エルビウムの代わりに同じく希土類のネオジウムを用いてなるネオジウム添加光ファイバ増幅器（ＮＤＦＡ）等を使用することができる。これにより、光アンプ３，８では、入射された励起レーザ（不図示）によって発生したエネルギーが入射光信号に伝達される結果、光パルス信号がそのまま増幅される。
【００２０】
なお、光アンプ３，８は、入力された光パルス信号を高効率、高利得、低雑音、かつ低歪で増幅できることが理想であるが、これらの光増幅器における自然放出光による雑音等のパルス信号の劣化が避けられない場合もある。そこで、このような信号劣化を除去するため、光伝送システムの送信端や受信端で波形整形（利得等化）を行ってもよい。
【００２１】
送信側に配した１．３／１．５５μｍ帯波長変換器４、および受信側に配した１．５５／１．３μｍ帯波長変換器５として、例えば、エルビウムを添加した光ファイバを利用した波長変換器（ファイバ型光波長変換素子を備える光波長変換器）、化合物半導体増幅器による相互利得変調を用いた波長変換器、高調波発生、和周波発生、あるいは差周波発生を利用した波長変換器等によって構成することができる。波長変換器４，５における波長変換は、これらの変換方式に限定されるものではなく、例えば、比較的低速度の光パルス信号を扱う場合、変換器の中で光パルス信号を一旦、電気信号に変換して増幅し、その電気信号を再びもとの光パルス信号に変換する方法をとってもよい。このような光−電気変換、電気−光変換方式を採用することで、波長変換器を小型化できるため光伝送システムそのものも小型、軽量化することが可能となる。
【００２２】
なお、本実施の形態例に係る光伝送システムのように、光パルス信号の伝送路として、１．３μｍ帯に零分散波長のあるシングルモード光ファイバ（ＳＭＦ）を使用し、その光ファイバに１．５５μｍ帯の光パルス信号を伝送する場合、波長分散が累積して信号が劣化する。そこで、この分散の影響による光パルス信号の劣化を防止するため、受信側において分散補償や等化増幅等を行ってもよい。
【００２３】
以上説明したように、第１の実施の形態例に係る光伝送システムでは、既設の１．３μｍ帯用光ファイバ伝送路（シングルモード光ファイバ（ＳＭＦ））を介して、伝送する光パルス信号として、１．３μｍ帯よりも伝送損失の小さい１．５５μｍ帯の波長を使用した光パルス信号を伝送することで、光パルス信号の長距離伝送が可能となる。その結果、従来の中継器を使用しない場合の光ファイバを介した長距離伝送が４０〜５０ｋｍ程度であったのに対して、本実施の形態例に係る光伝送システムを使用することで、伝送距離が１５０〜２００ｋｍの光パルス信号の無中継伝送が可能になる。
【００２４】
また、光信号の送信端および受信端それぞれにおける光送信器、光受信器として、既存の設備である１．３μｍ帯用光送信器および１．３μｍ帯用光受信器を採用し、この光送信器内の光源としてのレーザダイオードも既存の４０ｋｍ〜５０ｋｍ伝送用のレーザダイオードを使用するとともに、伝送路としても一般に広く敷設された１．３μｍ帯用光ファイバ伝送路を使用することで、システム全体の構成が安価となる光パルス信号の伝送システムを提供できる。さらには、本実施の形態例に係る光伝送システムにより、敷設されていながら稼動していない、いわゆるダークファイバの有効利用が可能となるため、通信資源・通信設備の有効活用に資することができる。
【００２５】
＜第２の実施の形態例＞
図２は、本発明の第２の実施の形態例に係る光伝送システムの全体構成を示すブロック図であり、図２において、図１に示す第１の実施の形態例に係る光伝送システムと同一構成要素には同一符号を付してある。図２に示す第２の実施の形態例に係る光伝送システムでは、第１の実施の形態例に係る光伝送システムとは異なり、光ファイバ伝送路として１．５５μｍ帯用光ファイバ伝送路を使用している。
【００２６】
すなわち、本実施の形態例に係る光伝送システムの光パルス信号の送信側には、１．３μｍ帯用光送信器１と、この光送信器１からの出力光信号である１．３μｍ帯の光パルス信号を１．５５μｍ帯の光パルス信号に波長変換する１．３／１．５５μｍ帯波長変換器４とが配されている。そして、この波長変換器４で波長変換された光パルス信号（１．５５μｍ帯の信号）は、例えば、零分散波長を１．５５μｍにシフトしたシングルモードファイバ（ＳＭＦ）である分散シフト光ファイバ（ＤＳＦ）からなる１．５５μｍ帯用光ファイバ伝送路２０を伝送された後、受信側へ到達する。
【００２７】
図２に示す光伝送システムの光信号の受信側には、１．５５μｍ帯用光ファイバ伝送路２０を伝送されてきた１．５５μｍ帯の光パルス信号を１．３μｍ帯の光パルス信号に波長変換するための１．５５／１．３μｍ帯波長変換器５が設けられ、さらに、この波長変換器５で波長変換された１．３μｍ帯の光パルス信号を光増幅する光アンプ８と、光アンプ８で増幅された信号を受信する１．３μｍ帯用受光部９とで構成される１．３μｍ帯用光受信部７が配置されている。
【００２８】
第２の実施の形態例に係る光伝送システムの送信側に配された１．３μｍ帯用光送信器１は、上述した第１の実施の形態例に係る光伝送システムの送信側と同じ構成、すなわち、１．３μｍ帯レーザダイオードからなる１．３μｍ帯用光源２と、１．３μｍ帯の光パルスを光増幅する光アンプ３と、送信信号の発生部としての信号発生器１５とからなる。そのため、ここではそれらの説明を省略する。また、本実施の形態例に係る光伝送システムの受信側に配された光アンプ８と１．３μｍ帯用光受信器９についても、第１の実施の形態例に係る光伝送システムの受信側と同じ構成をとるため、それらの説明を省略する。
【００２９】
このように第２の実施の形態例に係る光伝送システムでは、光信号の送信端と受信端それぞれにおける光送信器、光受信器として、既存の設備である１．３μｍ帯用光送信器および１．３μｍ帯用光受信器を使用し、伝送路として１．５５μｍ帯用光ファイバ伝送路を使用して、１．３μｍ帯よりも伝送損失の小さい１．５５μｍ帯の波長の光パルス信号を伝送する。こうすることで、新規に光伝送システムを構築する場合等において、新たに敷設された１．５５μｍ帯用の光ファイバを使用した、１．５５μｍ帯の光パルス信号の長距離無中継伝送が可能となる。
【００３０】
さらには、１．５５μｍ帯用の光送信器や光受信器が１．３μｍ帯用の光送受信器と比較して高価であることから、光伝送システムの伝送路として１．５５μｍ帯用光ファイバ伝送路を採用しつつも、光伝送システムの送信端、受信端それぞれには、既存の設備である１．３μｍ帯用光送信器および１．３μｍ帯用光受信器を配することで、上述したような長距離伝送を安価なシステム構成で実現できるという利点がある。
【００３１】
また、第２の実施の形態例に係る光伝送システムでは、光パルス信号の伝送路として、零分散波長を１．５５μｍにシフトした光ファイバ（ＤＳＦ）を使用し、その光ファイバに１．５５μｍ帯の光パルス信号を伝送させていることから、伝送路（光ファイバ）における分散の影響による光パルス信号の劣化がない。そのため、第１の実施の形態例に係る光伝送システムと比較して、より長距離伝送が可能となる。
【００３２】
＜第３の実施の形態例＞
図３は、本発明の第３の実施の形態例に係る光センシングシステムの全体構成を示すブロック図である。この光センシングシステムは、一般的な光通信用ではなく、光ファイバを使用して、例えば、人が立ち入ることのできない遠隔地、あるいはその遠隔地に設置された設備や機器等の温度、圧力、歪み等を検知するためのものである。この光センシングシステムでは、図３に示すように、１．３μｍ帯用光ファイバあるいは１．５５μｍ帯用光ファイバからなる信号伝送路３０の一方の先端部に送信ユニット３９が接続され、さらに、その先端部にセンサ（感知器）４０が接続されている。この送信ユニット３９は、１．３μｍ帯用光源３７と、光アンプ３８と、１．３／１．５５μｍ帯波長変換器４２とで構成されている。
【００３３】
センサ４０は、例えば、温度、圧力、歪み等の検知・測定対象に密着させるか、あるいはその近傍に配置することで、所望の検知動作を行わせる。また、センサ４０の後方には、そのセンサ４０から出力される、例えば１．３μｍ帯の検知信号（検知・測定結果を示す信号）を１．５５μｍ帯の光パルス信号に波長変換して送信する送信ユニット３９が配されている。
【００３４】
上記のように波長変換されたセンサ検知信号は、波長１．５５μｍ帯の光パルス信号として信号伝送路３０を伝送されて、光センシングシステムの受信側である、例えば観測所や観測基地に配置された１．５５／１．３μｍ帯波長変換器４４に到達する。この波長変換器４４は、入力された１．５５μｍ帯の光パルス信号（センサ検知信号）を１．３μｍ帯の光パルス信号に波長変換する。波長変換後の信号は、１．３μｍ帯の光パルス信号を光増幅する光アンプ４８と、増幅された信号を受信処理するための、例えばレーザダイオードからなる１．３μｍ帯用受光部４９とで構成された１．３μｍ帯用光受信器４１に入力される。そして最終的に、１．３μｍ帯用光受信器４１で受信された、センサ４０における検知・測定信号としての光パルス信号は、必要なデータ解析等のために光電変換部（Ｏ／Ｅ）４５において所定の電気信号に変換される。
【００３５】
なお、第３の実施の形態例に係る光センシングシステムにおける波長変換器４２，４４、光アンプ３８，４８、受光部４９等の内部構成は、上述した第１の実施の形態例等における波長変換器、光アンプ、受光部等と同じであるため、ここではそれらの説明を省略する。
【００３６】
＜第４の実施の形態例＞
図４は、本発明の第４の実施の形態例に係る光センシングシステムの全体構成を示すブロック図である。本実施の形態例に係る光センシングシステムは、光ファイバそのものをセンサとして利用したシステムである。すなわち、光センシングシステムの送信側には、１．３μｍ帯用光源３２と、光アンプ３３と、計測用の信号を発生する信号発生器６５とからなる１．３μｍ帯用光送信器３１が配され、この光送信器３１の後方には、光送信器３１から出力される１．３μｍ帯の光パルス信号を１．５５μｍ帯の光パルス信号に波長変換する１．３／１．５５μｍ帯波長変換器３４を配置する。
【００３７】
変換された波長１．５５μｍ帯の光パルス信号は、光カプラ６１を介して、１．３μｍ帯用光ファイバあるいは１．５５μｍ帯用光ファイバ５０を伝送路として伝送され、その光ファイバ５０の各地点においてレーリ散乱、ラマン散乱、ブリルアン散乱等の各種の散乱光が発生する。光ファイバ５０は、検知・測定対象である山岳や海底、あるいは各種の構造物に密着させたり、それらの近傍に配置される。そこで、このように配された光ファイバ５０に対して、外部から物理的な圧力等が印加されると散乱光強度に変化が生じる。そして、散乱光は、再び光ファイバ５０を伝送され、光カプラ６１を介して受信側に到達する。
【００３８】
図４に示す光センシングシステムの受信側には、光ファイバ５０を伝送されてきた１．５５μｍ帯の光パルス信号を１．３μｍ帯の光パルス信号に波長変換する１．５５／１．３μｍ帯波長変換器３５が設けられている。この１．５５／１．３μｍ帯波長変換器３５で波長変換して得られた１．３μｍ帯の光パルス信号は、その後方に設けられた１．３μｍ帯用光受信器５１内の光アンプ５３で光増幅され、増幅された信号は、光電変換部（不図示）を含む１．３μｍ帯用光受信器５５において、信号解析等のために所定の電気信号に変換される。
【００３９】
なお、第４の実施の形態例に係る光センシングシステムにおける光源３２、波長変換器３４，３５、光アンプ３３，５３等の内部構成は、上述した第１の実施の形態例等における光源、波長変換器、光アンプ等と同じであるため、ここではそれらの説明を省略する。また、通常、光ファイバセンサにおける検出方式は、透過型と反射型に大別されるが、ここでは、いずれの方式であってもよい。さらには、光カプラ６１の代わりに、例えば送信波を透過し、受信波を反射する機能を有するフィルタを配置してもよい。
【００４０】
以上説明したように、図３に示す第３の実施の形態例に係る光センシングシステムでは、伝送路である光ファイバの先端部に配したセンサで検知した結果から、また、図４に示す第４の実施の形態例に係る光センシングシステムでは、散乱光強度の変化や光ファイバ自体の変形等による波長の変化（光の干渉現象）、あるいはその周波数スペクトルから、それぞれ観測対象の温度や歪み等を算出することができる。特に図４に示す光センシングシステムの場合、散乱光の周波数スペクトルが歪みに比例してシフトする現象を利用し、散乱光を定常的に観測することで、離れた位置にある観測地点の温度、圧力、歪み、振動等を連続的に計測することができる。例えば、散乱光の受信端への帰還時間から位置計測ができ、散乱光の周波数から歪みを計測できる。
【００４１】
また、光ファイバを利用した圧力センサは、電気や磁気による影響を受けないという利点があるため、従来の電気的なセンサでは測定できなかった零囲気における温度や振動等の測定が可能となり、上述した光センシングシステムにおいて伝送路（光ファイバ）に波長変換器を配することで、１５０〜２００ｋｍ離れた観測地点のデータを容易に得ることができる。
【図面の簡単な説明】
【００４２】
【図１】本発明の第１の実施の形態例に係る光伝送システムの全体構成を示すブロック図である。
【図２】本発明の第２の実施の形態例に係る光伝送システムの全体構成を示すブロック図である。
【図３】本発明の第３の実施の形態例に係る光センシングシステムの全体構成を示すブロック図である。
【図４】本発明の第４の実施の形態例に係る光センシングシステムの全体構成を示すブロック図である。
【図５】従来の光伝送システムの構成例を示すブロック図である。
【符号の説明】
【００４３】
１    １．３μｍ帯用光送信器
２，３７    １．３μｍ帯用光源
３，８，３３，３８，４８，５３    光アンプ
４，３４，４２    １．３／１．５５μｍ帯波長変換器
５，３５，４４    １．５５／１．３μｍ帯波長変換器
７    １．３μｍ帯用光受信器
９    １．３μｍ帯用受光部
１０    １．３μｍ帯用光ファイバ伝送路
１５    信号発生器
３０    信号伝送路
３２    光源
３９    送信ユニット
４０    センサ（感知器）
【図１】
0005605974.tif 000002
【図２】
0005605974.tif 000003
【図３】
0005605974.tif 000004
【図４】
0005605974.tif 000005
【図５】
0005605974.tif 000006